(57)【要約】【課題】  駆動力伝達部材として新しい概念の部材を導入することで、遊技機内部の空間を有効利用でき、また遊技球の衝突方向や衝突力等の衝突状態を可動部材の姿勢に反映することができ、可動部材の動作態様をファジーな面白みのあるものにすることができる遊技機の提供を課題とする。【解決手段】  遊技球が流下する遊技盤１に設けられ且つ所定の動作可能な可動部材６と、該可動部材６が前記所定の動作を行うための駆動力を発生する駆動手段１２と、該駆動手段１２から前記可動部材６に対して前記駆動力を伝達する駆動力伝達部材１０とを備えた遊技機であって、前記駆動力伝達部材１０は、全体として屈曲自在な綱状に形成され、且つ該綱状の一側端部と他側端部が引っ張り合うときは緊張すると共に前記一側端部と他側端部が押し合うときは弛緩する綱状部材を用いる。【選択図】        図１
2005261720.tif 000002
【特許請求の範囲】
【請求項１】
遊技球が流下する遊技盤に設けられ且つ所定の動作可能な可動部材と、該可動部材が前記所定の動作を行うための駆動力を発生する駆動手段と、該駆動手段から前記可動部材に対して前記駆動力を伝達する駆動力伝達部材とを備えた遊技機であって、
前記駆動力伝達部材は、全体として屈曲自在な綱状に形成され、且つ該綱状の一側端部と他側端部が引っ張り合うときは緊張すると共に前記一側端部と他側端部が押し合うときは弛緩する綱状部材を用いることを特徴とする遊技機。
【請求項２】
遊技球が流下する遊技盤に該遊技球を受け入れるための開口を備え、
可動部材は前記開口への遊技球の受け入れ度合いを変更するための開閉扉、開閉片等の開閉部材とし、
駆動手段によって綱状部材を繰り込むことにより前記開閉部材を開放動作させて開状態とし、或いは駆動手段によって綱状部材を繰り出すことにより前記開閉部材を閉成動作させて閉状態とする構成としたことを特徴とする請求項１に記載の遊技機。
【請求項３】
開閉部材が閉状態にあるときに、綱状部材を遊技盤面上において緊張状態から更に弛ませた遊び状態に保持する構成としたことを特徴とする請求項２に記載の遊技機。
【請求項４】
開閉部材を閉状態から開状態へと開放動作させる開放動作開始時期に先立って、綱状部材を遊び状態から緊張状態へと多少の時間をかけて修正動作させる構成としたことを特徴とする請求項３に記載の遊技機。
【請求項５】
綱状部材の繰り込み速度は、修正動作における速度において、開閉部材を開放動作させるときの速度よりも遅い速度で行う構成としたことを特徴とする請求項４に記載の遊技機。
【請求項６】
綱状部材が弛んでいる状況を明示する弛み状況明示部材を設けてあることを特徴とする請求項１〜５の何れかに記載の遊技機。
【請求項７】
開口は、特定の遊技状態になったときに開閉部材である開閉扉を１乃至複数回開き、且つ開閉扉が開状態にあるときに多数の遊技球を受け入れることができるようになされた大入賞口であることを特徴とする請求項２〜６の何れかに記載の遊技機。
【発明の詳細な説明】
【技術分野】
【０００１】
本発明はパチンコ機等の遊技機に関する。
【背景技術】
【０００２】
従来、パチンコ機において、駆動手段から可動部材に対して駆動力を伝達する駆動力伝達部材（連結部材）として、可動部材（開閉扉）に設けられた歯車に噛み合わされるラックが形成されたもの（例えば特許文献１）が提供されている。
【特許文献１】実開平５−７２８４号公報（第６頁、図６）
【発明の開示】
【発明が解決しようとする課題】
【０００３】
ところが上記特許文献１における駆動力伝達部材は、使用状況の性質上、必然的に金属や合成樹脂等の変形に自由度のない剛性の材料で形成されることが望ましく、また設置に際して可動領域を含めた比較的大きな一定の空間を占める必要があるため、限られた遊技機内部の空間においては設置場所が限定されると共に、省スペース化を図る上での支障となっていた。
また上記した駆動力伝達部材は、前述したとおり自由に変形できない剛性に形成されているため、該駆動力伝達部材に連結した可動部材（開閉扉）は、開状態または閉状態の何れの状態においても固定されていた。このため、どのような角度から遊技球が衝突してもこれを跳ね返すのみで、可動部材（開閉扉）の姿勢が変化することはなかった。しかし遊技球の特質として、狭い空間内において遊技球が各種の障害物と衝突を繰り返しながら流下していくことを鑑みれば、遊技球が乱舞する遊技領域にあって、例え様々な角度から遊技球が衝突することによっても、それによる可動部材の姿勢等への反映、或いは影響が全く生じないことは、パチンコ遊技としての興趣に今一つ欠けるものであった。
更に駆動手段と可動部材に介在する駆動力伝達部材は、駆動手段からの駆動力を可動部材に対して伝達するか否か、また伝達するとしても正方向か逆方向か、といった正に機械的な構成であり、その作用は柔軟性のない無機質なものであった。このため連結された可動部材の動作態様は単純なものとなり、パチンコ遊技の興趣の低下を招き、よりファジーな面白みのある動作態様を実現可能な駆動力伝達部材の開発が強く求められていた。
【０００４】
そこで本発明は上記従来の問題を解消し、駆動力伝達部材として新しい概念の部材を導入することで、遊技機内部の空間を有効利用でき、また遊技球の衝突方向や衝突力等の衝突状態を可動部材の姿勢に反映することができ、可動部材の動作態様をファジーな面白みのあるものにすることができる遊技機の提供を課題とする。
【課題を解決するための手段】
【０００５】
上記課題を達成するため本発明の遊技機は、遊技球が流下する遊技盤に設けられ且つ所定の動作可能な可動部材と、該可動部材が前記所定の動作を行うための駆動力を発生する駆動手段と、該駆動手段から前記可動部材に対して前記駆動力を伝達する駆動力伝達部材とを備えた遊技機であって、前記駆動力伝達部材は、全体として屈曲自在な綱状に形成され、且つ該綱状の一側端部と他側端部が引っ張り合うときは緊張すると共に前記一側端部と他側端部が押し合うときは弛緩する綱状部材を用いることを第１の特徴としている。
上記において「全体として屈曲自在な綱状に形成され」という意味は、綱状部材の全体の全てが屈曲自在な材料だけで構成されている場合の他、綱状部材のうちの一部は屈曲性の乏しい剛性の材料で構成されているものの、全体として屈曲自在といえる場合も含む意味である。
また本発明の遊技機は、上記第１の特徴に加えて、遊技球が流下する遊技盤に該遊技球を受け入れるための開口を備え、可動部材は前記開口への遊技球の受け入れ度合いを変更するための開閉扉、開閉片等の開閉部材とし、駆動手段によって綱状部材を繰り込むことにより前記開閉部材を開放動作させて開状態とし、或いは駆動手段によって綱状部材を繰り出すことにより前記開閉部材を閉成動作させて閉状態とする構成としたことを第２の特徴としている。
また本発明の遊技機は、上記第２の特徴に加えて、開閉部材が閉状態にあるときに、綱状部材を遊技盤面上において緊張状態から更に弛ませた遊び状態に保持する構成としたことを第３の特徴としている。
また本発明の遊技機は、上記第３の特徴に加えて、開閉部材を閉状態から開状態へと開放動作させる開放動作開始時期に先立って、綱状部材を遊び状態から緊張状態へと多少の時間をかけて修正動作させる構成としたことを第４の特徴としている。
また本発明の遊技機は、上記第４の特徴に加えて、綱状部材の繰り込み速度は、修正動作における速度において、開閉部材を開放動作させるときの速度よりも遅い速度で行う構成としたことを第５特徴としている。
また本発明の遊技機は、上記第１〜第５の何れかに記載の特徴に加えて、綱状部材が弛んでいる状況を明示する弛み状況明示部材を設けてあることを第６の特徴としている。
また本発明の遊技機は、上記第２〜第６の何れかに記載の特徴に加えて、開口は、特定の遊技状態になったときに開閉部材である開閉扉を１乃至複数回開き、且つ開閉扉が開状態にあるときに多数の遊技球を受け入れることができるようになされた大入賞口であることを第７の特徴としている。
【発明の効果】
【０００６】
上記請求項１に記載の遊技機によれば、駆動力伝達部材は、全体として屈曲自在な綱状に形成され且つ該綱状の一側端部と他側端部が引っ張り合うときは緊張すると共に前記一側端部と他側端部が押し合うときは弛緩する綱状部材を用いることにより、遊技機内部における駆動力伝達部材の設置場所の選択に関し、その設置場所の自由度を十分に高めることができ、またこれによって狭い遊技機内部の空間を有効に利用することができる。
また駆動力伝達部材としての綱状部材に遊技球が種々の方向から種々の衝突力で衝突することによる可動部材の姿勢への反映を可能とし、或いはまた遊技球が可動部材に対して種々の方向から種々の衝突力で衝突することによって綱状部材を緊張させたり弛緩させたりすることにより、その影響を可動部材に帰還して反映させることができる。またこれにより可動部材の動作態様をファジーな面白みのあるものにすることができる。
【０００７】
また請求項２に記載の遊技機によれば、上記請求項１に記載の構成による効果に加えて、遊技球が流下する遊技盤に該遊技球を受け入れるための開口を備え、可動部材は前記開口への遊技球の受け入れ度合いを変更するための開閉扉、開閉片等の開閉部材とし、駆動手段によって綱状部材を繰り込むことにより前記開閉部材を開放動作させて開状態とし、或いは駆動手段によって綱状部材を繰り出すことにより前記開閉部材を閉成動作させて閉状態とする構成としたので、駆動手段で綱状部材を繰り込むことで、開閉部材を介して開口の開放を行うことができる。また綱状部材を繰り出すことで、開閉部材を介して開口を閉成させることができる。即ち、綱状部材によって開閉部材の開閉度を変更することができ、遊技盤面を流下する遊技球を受け入れる開口への遊技球の受け入れ度合いを変更することができる。
また綱状部材の繰り込み長さ或いは繰り出し長さを調整することで、開閉部材による最大の開放度合いを変更調整することができ、或いは開閉部材による最小の開放度合い（開放度ゼロを含む）を変更調整することができる。
また綱状部材の繰り込み速度或いは繰り出し速度を調節することで、開閉部材による開口の開放動作速度或いは閉成動作速度を調整することができる。
また綱状部材の繰り込み速度或いは繰り出し速度を変化させることで、開閉部材による開口の開放動作速度或いは閉成動作速度を途中で変化させることができる。
綱状部材は紐状のものや糸状のもの、その他の線状のものを用いることができる。またチェーン状のものを状況に応じて自由に選んで用いることができる。
以上のように綱状部材を用いることで、簡単な構成で遊技機の遊技盤面での開閉部材による開口の開閉動作を斬新に行うことができる。
【０００８】
また請求項３に記載の遊技機によれば、上記請求項２に記載の構成による効果に加えて、開閉部材が閉状態にあるときには、綱状部材は遊技盤面上において弛ませた遊び状態に保持されるので、その弛んだ遊び状態にある綱状部材を遊技盤面上で視認する遊技者に対して、状況は未だ綱状部材が緊張状態になく、直ぐには開閉部材が開放動作を開始できないというメッセージを送ることができる。また遊技者は綱状部材が弛んだ遊び状態にあるのを見ることで、現時点が開閉部材の開放時期に対する猶予期間であることを認識することができると共に、綱状部材の状態の変化を視覚的に追うことで今までにない新たな遊技状態の変化を一喜一憂して楽しむことができる。
【０００９】
また請求項４に記載の遊技機によれば、上記請求項３に記載の構成による効果に加えて、綱状部材は、開閉部材の開放動作開始時期に先立って、弛んだ遊び状態から緊張状態へと多少の時間をかけて修正動作されるので、これによって開閉部材の開放動作が間近いことを遊技者に予告することができる。また遊技者は綱状部材の修正動作を見ることで、もうすぐ開口の開放が開始されることがわかるので、その開口の開放に備えて、大いなる期待と準備をもって遊技に励むことになるなど、遊技の抑揚を大いに楽しむことができる。この場合、綱状部材が弛んだ状態から徐々に緊張した状態へと変化してゆく態様は、視覚上において遊技者に非常に斬新な印象を与える。
勿論、綱状部材が弛みを解消してゆく修正動作をしても、緊張状態にならない限りは開閉部材の閉止状態は何ら変化することがないので、その間において遊技球の受け入れ度合いが増加することはなく、よって所定の受け入れ確率を確実に保障することができる。結果として遊技者及び遊技店の双方において、確率変化による不利益を被らせることがない。
【００１０】
また請求項５に記載の遊技機によれば、上記請求項４に記載の構成による効果に加えて、綱状部材の繰り込み速度は、修正動作における速度において、開閉部材を開放動作させる場合よりも遅い速度で行う構成としているので、遊技者に対して開閉部材の開放が近い旨の予告をより確実に知らしめることができる。また遊技者はゆっくりと弛みが解消してゆく綱状部材を視認しながら、この修正動作が終わって開閉部材が開口を開くのを心待ちにしながら、大いに遊技を楽しむことができる。
【００１１】
また請求項６に記載の遊技機によれば、上記請求項１〜５の何れかに記載の構成による効果に加えて、綱状部材が弛んでいる状況を明示する弛み状況明示部材を設けることで、遊技者に対して綱状部材が弛んでいる様子を明示して確実に視認させることができる。遊技者は弛み状況明示部材を見ることで、綱状部材の弛み具合を容易に、且つ確実に視認することができ、遊技に打ち込むことができる。
【００１２】
また請求項７に記載の遊技機によれば、上記請求項２〜６の何れかに記載の構成による効果に加えて、開口が大入賞口で、該大入賞口への遊技球の受け入れ度合いを変更する開閉部材を開閉扉とすることで、大入賞口の開閉扉をそれに連結された綱状部材の繰り込み或いは繰り出しによって開閉動作させることができる。これによって、大入賞口への遊技球の受け入れ度合いを容易な状態から不能な状態まで変更することができる。
また綱状部材を弛ませた遊び状態に保持することで、その弛んだ遊び状態にある綱状部材を遊技盤面上で視認する遊技者に対して、大入賞口が直ぐには開放しないというメッセージを送ることができる。また遊技者は綱状部材が弛んだ遊び状態にあるのを見ることで、大入賞口の開放時期に対する猶予期間であることを認識することができると共に、綱状部材の状態変化を視覚的に追うことで今までにはない新たな遊技状態の変化を楽しむことができる。
また綱状部材を、大入賞口の開閉扉の開放動作開始時期に先立って、弛んだ遊び状態から緊張状態へと多少の時間をかけて修正動作させるようにすることで、大入賞口の開放が間近いことを遊技者に予告することができる。また遊技者は綱状部材の修正動作を見ることで、やがて大入賞口が開放されるという大いなる期待が高まり、それに向けて遊技に励むことになるなど、遊技の抑揚を十分に楽しむことができる。また綱状部材が大入賞口の開閉扉と関連して弛んだ状態から徐々に緊張した状態へと変化してゆく態様は、遊技者に非常に斬新な印象を与える。
勿論、綱状部材が弛みを解消してゆく修正動作をしても、緊張状態にならない限りは開閉扉による大入賞口の閉成状態は何ら変化することがない。
また綱状部材の繰り込み速度に関して、綱状部材の弛みを解消してゆく修正動作の速度を、開閉扉を開放動作させる速度よりも遅い速度にすることで、遊技者に対して大入賞口の開放が近い旨の予告をより確実に知らしめることができると共に、その修正動作のゆっくりとした動作期間、遊技者は綱状部材を視認しながら、この修正動作が終わるといよいよ大入賞口が開放されるという大いなる期待をどんどん膨らませてゆくことができ、結果として大いに遊技を楽しむことができる。
【発明を実施するための最良の形態】
【００１３】
図面を参照して、本発明の実施形態を説明する。
図１は本実施形態の遊技機としてのパチンコ機の遊技盤面の正面図、図２−Ａは開閉扉の閉成状態を説明する正面図、図２−Ｂは開閉扉の閉成状態を説明する断面図、図３−Ａは開閉扉の開放状態を説明する正面図、図３−Ｂは開閉扉の開放状態を説明する断面図、図４はワイヤー部材に弛みがある場合における弛み状況明示部材の状態を示す図で、（Ａ）は平面図、（Ｂ）は正面図である。図５はワイヤー部材に弛みがない場合における弛み状況明示部材に状態を示す図で、（Ａ）は平面図、（Ｂ）は正面図である。図６は弛み状況明示部材の付勢状態を説明する概略斜視図、図７は開閉扉の付勢状態を説明する図で、（Ａ）は概略斜視図、（Ｂ）は側面図である。
【００１４】
［概要］
先ず、本発明の実施形態の概要について説明する。
本実施形態は、綱状部材としてのワイヤー部材１０の一側端部を開閉扉６に連結し、他側端部を駆動手段であるステッピングモータ１２に連結し、該ステッピングモータ１２によってワイヤー部材１０を繰り込むことにより開閉扉６は大入賞口５を開放し、繰り出すことにより大入賞口５を閉成する。ワイヤー部材１０は、開閉扉６が大入賞口５を閉成してもなお繰り出し可能な長さに形成され、これにより生じる弛み状態によって開閉扉６の開放動作に関する予告報知を行う。
【００１５】
［概略構成］
１．綱状部材としての２本のワイヤー部材１０の各々一側端部を、開閉部材としての大入賞口５の開閉扉６の上方且つ両側端部に連結して、他側端部を駆動手段としてのステッピングモータ１２の回転軸１３に連結する。
２．開閉扉６は、大入賞口５を常に閉成する方向に付勢される。
３．ワイヤー部材１０は、開閉扉６が大入賞口５を完全に閉成した後に更に繰り出して所定の弛み状態となることが可能な長さに形成される。
４．弛み状況明示部材（１６ａ、１６ｂ、１７ａ、１７ｂ）はワイヤー部材１０が巻き掛けられる位置に設けられる。
５．弛み状況明示部材（１６ａ、１６ｂ、１７ａ、１７ｂ）はワイヤー部材１０の所定の弛み状態において、ワイヤー部材１０を所定の緊張状態に維持するように付勢される。
６．ワイヤー部材１０は、遊技盤１の表側の開閉扉６に連結され、次いで遊技盤１の表側に一部が露出して設けられた第１ローラ部材８に巻き掛けられ、更に遊技盤１の裏側に設けられた第２ローラ部材９に巻き掛けられ、遊技盤１の裏側を上方に向かって通って、ステッピングモータ１２の回転軸１３へ連結される。
７．ワイヤー部材１０の設置に伴い障害となるセンターケース３には、繰り出し及び繰り込みにおける可動領域を含めた箇所にワイヤー部材挿通穴２１が設けられる。
【００１６】
［概略作用］
１．開閉扉６は、ステッピングモータ１２の回転によるワイヤー部材１０の繰り込みに伴い開放動作を行い、また繰り出しに伴い閉成動作を行う。
２．弛み状況明示部材（１６ａ、１６ｂ、１７ａ、１７ｂ）は、開閉扉６が閉成して更にワイヤー部材１０が繰り出されると、これに伴い弛み状況明示部材が付勢される方向に向かってワイヤー部材１０を所定の緊張状態に維持するように変位する。
【００１７】
先ず図１、図２を参照して、遊技機としてのパチンコ機は遊技盤１を備えている。遊技盤１には略円形状に形成された遊技領域２が設けられている。遊技領域２の中央且つやや上方には、本発明における駆動手段としてのステッピングモータ１２と弛み状況明示部材としてのハート意匠１６ａ、１６ｂとカーテン意匠１７ａ、１７ｂを備えたセンターケース３が設けられている。当該センターケース３の下方には始動入賞装置４が設けられている。該始動入賞装置４の下方には本発明の開口としての大入賞口５と、開閉部材として大入賞口５を開閉する開閉扉６とを備える大入賞口取付基板７が設けられている。この大入賞口取付基板７は、大入賞口５の下方に第１ローラ部材８を備えている。この第１ローラ部材８に対して遊技盤１の裏側に第２ローラ部材９が設けられている。
【００１８】
また本発明における綱状部材として、ワイヤー部材１０が設けられている。ワイヤー部材１０は、屈曲自在な綱状に形成され且つ該綱状の一側端部と他側端部が引っ張り合うときは緊張し、押し合うときは弛緩するように構成されている。このワイヤー部材１０は、大入賞口５の開閉扉６に端部が固定され、そこから延びて第１、第２のローラ部材８、９に巻き掛けられ、更に遊技盤１の裏側を上方に向かって通り、意匠駆動軸１４ａ、１４ｂに巻き掛けられた後、ステッピングモータ１２の回転軸１３に連絡される。このように構成されることで、ワイヤー部材１０はステッピングモータ１２の駆動力を開閉扉６に伝達可能となる。
ワイヤー部材１０は開閉扉６が大入賞口５を閉成した後、更に繰り出されて弛む長さに形成されている。これにより遊技者は、ワイヤー部材１０の弛み、即ち遊び状態を視認することで、現時点が開閉扉６の開状態への作動開始時期に対する猶予期間であることを認識することができる（請求項３対応）。
【００１９】
前記大入賞口５は、遊技盤１面上を流下してくる遊技球を受け入れる度合いが、遊技状況に応じて大きく変動する変動入賞装置の１つで、大入賞口５に設けられた開閉部材としての開閉扉６が開状態にあるときに多数の遊技球を受け入れることができ、開閉扉６が閉状態にあると、遊技球の受け入れを不可とする開口である。この大入賞口５は遊技状態がある特定の遊技状態（例えば大当たり遊技状態）になったときに、その期間において、開閉扉６を１乃至複数回、開状態とする。遊技者は開閉扉６が開状態にあるときに、多数の遊技球を入賞させることが可能となる。
【００２０】
図２−Ａから図７を参照して更に説明する。図２−Ａは、開閉扉６が閉成状態にある場合における、遊技領域２に設けられたセンターケース３、始動入賞装置４、及び大入賞口取付基板７を示す拡大正面図である。図２−Ｂは同じく拡大断面図で、始動入賞装置４を省略している。図３−Ａは、開閉扉６が開放状態にある場合における、遊技領域２に設けられたセンターケース３、始動入賞装置４、及び大入賞口取付基板７を示す拡大正面図である。図３−Ｂは同じく拡大断面図で、始動入賞装置４を省略している。
センターケース３は略矩形状に形成されると共に、遊技盤１の前面側から裏面に窪んだ凹状に形成される。当該凹状に形成された領域の略中央には、略矩形状に形成されると共に図柄等の識別情報を可変表示する液晶パネル１１が設けられる。液晶パネル１１の上方には、回転軸１３を備えたステッピングモータ１２が設けられる。液晶パネル１１とステッピングモータ１２の間には、意匠駆動軸１４ａ、１４ｂが挿通するのに移動可能な幅寸法であって、長穴状に形成された軸ガイド穴１５が設けられている。
【００２１】
更に詳述すると、意匠駆動軸１４ａ、１４ｂにはそれぞれ一対のフランジ部２２、２３（図４、５、６参照）が設けられている。該フランジ部２２、２３は上記した軸ガイド穴１５が設けられるセンターケース３の板厚寸法より僅かに大きな寸法の間隙をもって配置されるものである。これにより、意匠駆動軸１４ａ、１４ｂは前後方向において位置決めされると共に、遊技者方向に向かって垂直に姿勢を維持するものである。またフランジ部２３には、後述する意匠付勢バネ２４の一側端部が連結されている。
意匠駆動軸１４ａには上述したハート意匠１６ａとカーテン意匠１７ａが設けられ、意匠駆動軸１４ｂにはハート意匠１６ｂとカーテン意匠１７ｂが設けられる。意匠駆動軸１４ａは図面上で右側方に配置され、意匠駆動軸１４ｂは左側方に配置される。なお図示しないが、カーテン意匠１７ａの右側端部とカーテン意匠１７ｂの左側端部は、それぞれセンターケース３に固着されて構成される。
【００２２】
意匠駆動軸１４ａ、１４ｂが横方向へ移動するのに伴い、ハート意匠１６ａ、１６ｂ及びカーテン意匠１７ａの左側端部とカーテン意匠１７ｂの右側端部が、移動可能に構成される。即ち、カーテン意匠１７ａ、１７ｂは、意匠駆動軸１４ａ、１４ｂの横方向への移動に連動して、あたかもカーテンが開いたり閉じたりする態様となる。
カーテン意匠１７ａ、１７ｂは、詳細には、蛇腹状に形成されると共に、それぞれが最も広がったとき、即ち意匠駆動軸１４ａ、１４ｂが最も中央へ移動したとき、液晶パネル１１の前面を被覆する大きさに形成される。
ハート意匠１６ａ、１６ｂは、詳細には、ハート意匠１６ａの左側方及びハート意匠１６ｂの右側方は、複数の山形形状に形成されると共に、当該山形形状は互いにちょうど嵌り合う形状に形成されている。従ってハート意匠１６ａとハート意匠１６ｂが最も接近したとき、１個のハートの意匠として見えるように構成される。
更に意匠駆動軸１４ａ、１４ｂは、先述したようにそれぞれ所定の方向に向かって付勢されている。つまり意匠駆動軸１４ａは右側方へ、意匠駆動軸１４ｂは左側方へ向かって意匠付勢バネ２４により付勢されている（図４、図５、図６）。
【００２３】
次いで大入賞口取付基板７は、上述したように、その中央上部に大入賞口５を備え、その下方に開設されたローラ部材開口部２０には第１ローラ部材８を回動自在に軸支する。大入賞口５には、当該大入賞口５を開放状態或いは閉成状態に変化させる開閉扉６が、大入賞口５の下辺部において回動自在に軸支されている。
開閉扉６は、大入賞口５を常に閉成する方向に向かって付勢されている。即ち、大入賞口取付基板７の最奥部に一側端部を連結して設けられた開閉扉付勢バネ１８の他端部を開閉扉６の球誘導壁部１９に連結して構成されている（図７参照）。即ち、開閉扉６は上記開閉扉付勢バネ１８の付勢力とワイヤー部材１０の引っ張り力のバランスにより姿勢を維持するものである。つまり、剛性のある駆動力伝達部材によって固定的に姿勢を維持するものではない。換言するなら、遊技球が開閉扉６に対して、開放方向、即ちワイヤー部材１０の弛緩する方向に衝突したとき、その条件に従って姿勢が変化するものである。即ち、本実施例においては、上記した条件下で、遊技球の開閉扉６への衝突する状態を開閉扉６の姿勢に反映することができると共に、これにより開閉扉６の動作態様をファジーな面白みのあるものにすることができる（請求項１、２対応）。
なお開閉扉付勢バネ１８は、上記した意匠付勢バネ２４より強い付勢力を発生するように構成されている。
また第１ローラ部材８は、該第１ローラ部材８の前方部が上記ローラ部材開口部２０から僅かに前方、即ち遊技者側に突出するような位置に配置される。第１ローラ部材８から遊技盤１の裏側方向には、図２−Ｂに示すような第２ローラ部材９が回動自在に軸支されて設けられる。
【００２４】
開閉扉６には、上記したように、ワイヤー部材１０の一側端部が連結して設けられている。該ワイヤー部材１０は、図２−Ｂに示すように、先ず下方の第１ローラ部材８に巻き掛けられ、次いで遊技盤１裏側の第２ローラ部材９に巻き掛けられ、次いで上方に設けられる上記意匠駆動軸１４ａ、１４ｂに巻き掛けられた後、ステッピングモータ１２の回転軸１３に連結されている。なお、第２ローラ部材９から意匠駆動軸１４ａ、１４ｂに至るまでに障害となるセンターケース３の所定箇所には、ワイヤー部材挿通穴２１が貫設されている。
このように本発明の駆動力伝達部材としてのワイヤー部材１０は、上記したように屈曲自在に形成されるため、スペースの確保し難い遊技盤１の裏側においても、上記したワイヤー部材挿通穴２１を貫設する等の簡易な手段により容易に設置空間を確保することができ、設置場所の選択に関して自由度が増し、空間の有効利用が可能となる（請求項１、２対応）。
前記ワイヤー部材挿通穴２１は、センターケース３の図示しない取り込み口から取り込んだ遊技球を転動させるステージ面２５に設ける。
【００２５】
上記のように構成される本実施形態の作用について説明する。
図２−Ａ、図２−Ｂは、開閉扉６が大入賞口５を閉成した後、更にワイヤー部材１０が繰り出された状態を示している。
ステッピングモータ１２の回転軸１３が反時計方向に回転することにより、ワイヤー部材１０を繰り出すと、該ワイヤー部材１０が連結された開閉扉６は、開閉扉付勢バネ１８の付勢力により大入賞口５を閉成する。この時点ではワイヤー部材１０には弛みが発生しておらず、上述したように開閉扉付勢バネ１８は意匠付勢バネ２４より強い付勢力を発生するように構成されているため、繰り出しにより変化するのは開閉扉６のみとなる。つまり、このときの意匠駆動軸１４ａ、１４ｂは共に最も中央に寄った状態、即ち図３−Ａに示す状態である。
更に繰り出しが進むと、ワイヤー部材１０の弛み量が大きくなるにつれて、意匠駆動軸１４ａ、１４ｂはそれぞれ左右両側方に変位する。そして最も繰り出されたとき、図２−Ａに示すように、液晶パネル１１の略全領域が視認可能な状態までカーテン意匠１７ａ、１７ｂが開いた状態となる。またハート意匠１６ａ、１６ｂも同様に左右両側方に変位することにより、１個のハート意匠が分離した状態となる。
遊技者は、このカーテン意匠１７ａ、１７ｂ及びハート意匠１６ａ、１６ｂの態様を視認することにより、現在が開閉扉６による大入賞口５の開放動作に関する猶予期間であることを認識することができる。また後述する弛み状態が解消していく変化態様を、カーテン意匠１７ａ、１７ｂ及びハート意匠１６ａ、１６ｂを介して認識できるため、更に見落とし難くなる。このため、開閉扉６の開放状態への作動の予告報知を、より遊技者へ確実に行うことができる（請求項６対応）。
【００２６】
今、例えば遊技球が始動入賞装置４に入賞し、これを契機として大当たり判定が行われ、その結果、大当たり遊技状態となることが決定されると、遊技機の図示しないコントローラは、ステッピングモータ１２を低速回転で時計方向に回転するよう制御する。これにより回転軸１３が回転して２本のワイヤー部材１０の繰り込みを開始する。
この繰り込み動作に従って、それぞれ左右両側方に付勢されていた意匠駆動軸１４ａ、１４ｂは、徐々に中央に向かって変位し、これに伴いカーテン意匠１７ａ、１７ｂ及びハート意匠１６ａ、１６ｂも変位する。
即ち本発明は、開閉扉６を閉状態から開状態へと開放動作させる開放動作開始時期に先立って、ワイヤー部材１０を遊び状態から緊張状態へと多少の時間をかけて修正動作させるように構成されるものである。
これにより遊技者は、遊び状態の解消動作を視認することで、開閉扉６の開状態への作動開始時期が近づきつつあることを認識することができ、開閉扉６の開状態への作動の予告報知をワイヤー部材１０の弛み状態によって行うことで、従来にはない面白みのある報知が可能となる（請求項４対応）。
【００２７】
繰り込みが進みワイヤー部材１０の弛みが完全に解消されると、カーテン意匠１７ａ、１７ｂ及びハート意匠１６ａ、１６ｂは、図３−Ａに示すような閉じた状態となる。即ち、カーテン意匠１７ａ、１７ｂが閉まることで液晶パネル１１を被覆することにより視認不能とし、ハート意匠１６ａ、１６ｂが互いに接することにより１個のハート意匠と見て取れる状態となる。但し、この時点では未だ大入賞口５は閉成状態である。
遊技機のコントローラは、ワイヤー部材１０の弛みが完全に解消されたことをステッピングモータ１２の回転数に基づいて検知すると、続いてステッピングモータ１２を高速回転で時計方向に回転するよう制御する。これにより回転軸１３が回転してワイヤー部材１０の繰り込みを開始し、当該繰り込み動作に従って開閉扉６が素早く遊技者側に、即ち前方に向かって回動することで、大入賞口５を開放状態とする。
【００２８】
大当たり遊技状態中において、或いは大当たり遊技状態の終了に伴い、大入賞口５の閉成が決定されると、遊技機のコントローラはステッピングモータ１２を高速回転で反時計方向に回転するよう制御し、上述したように開閉扉６の閉成動作を行う。
即ち本実施形態では、ワイヤー部材１０の繰り込み速度は、修正動作における速度において、開閉扉６を開放動作させるときの速度より遅い速度で行うよう構成される。これにより遊技者は、弛み状態が解消してゆく変化態様を見落とし難くなり、開閉扉６の開状態への作動に係る予告報知を確実に行うことが可能となる（請求項５対応）。
【００２９】
なおワイヤー部材１０は、ステージ面２５に設けられたワイヤー部材挿通穴２１に挿通されているため、ステージ面２５を転動する遊技球に接触、衝突されることがあり、ワイヤー部材１０が変位、屈曲される可能性がある。このワイヤー部材１０の屈曲は、開閉扉６やカーテン意匠１７ａ、１７ｂ及びハート意匠１６ａ、１６ｂの姿勢やその他の状態に影響を与え、そのワイヤー部材１０の変位、屈曲がそれら開閉扉６やカーテン意匠１７ａ、１７ｂ及びハート意匠１６ａ、１６ｂの姿勢等に反映されることが可能となる。このため、開閉扉６やカーテン意匠１７ａ、１７ｂ及びハート意匠１６ａ、１６ｂにファジーな動きを与えて面白みのあるものにすることができる（請求項１、２対応）。
【００３０】
以上で説明した本実施形態においては、可動部材として開閉扉６、駆動手段としてステッピングモータ１２、駆動力伝達部材としてワイヤー部材１０を採用したものを示したが、これに限定されるものではない。即ち可動部材は、遊技盤１に設けられて所定動作が可能な部材であればよい。また駆動手段は、可動部材が所定の動作を行うための駆動力を発生するものであればよい。また駆動力伝達部材は、全体として屈曲自在な綱状に形成され、且つ該綱状の一側端部と他側端部が引っ張り合うときは緊張すると共に前記一側端部と前記他側端部が押し合うときは弛緩する綱状部材を用いるものであれば、他のものを採用してもよい。
また開閉部材は大入賞口５の開閉扉６を例示したが、遊技球を受け入れる開口への受け入れ度合いを変更するものであれば、大入賞口の開閉扉６である必要はない。また開閉部材は開閉扉に限定されるものではなく、開閉扉以外の開閉片やその他の開閉部材を対象として含むものである。
また上記コントローラは、パチンコ遊技機の遊技の進行を制御する主基板（図示せず）に搭載されたＣＰＵの一機能として構成されたものでもよい。
【００３１】
また本実施形態においては、一対のワイヤー部材１０を用いて開閉部材の繰り出し、繰り込みを行うようにしているが、必ずしも一対である必要はない。またワイヤー部材はその材質が特に限定されるものではなく、紐状、線状、偏平な帯状等、開閉部材を開閉操作することができる綱状の部材であればよい。本発明はそのような綱状部材をその範囲に含むものである。
また本実施形態においては、ワイヤー部材１０を繰り出し或いは繰り込む手段として、ステッピングモータ１２を用いているが、これに限定されるものではない。要するにワイヤー部材等の綱状部材を繰り出し或いは繰り込むことができる駆動手段であればよい。本発明はそのような駆動手段をその範囲に含むものである。
【図面の簡単な説明】
【００３２】
【図１】本発明の実施形態の遊技機としてのパチンコ機の遊技盤面の正面図である。
【図２−Ａ】本実施形態のパチンコ機における開閉扉の閉成状態を説明する正面図である。
【図２−Ｂ】本実施形態のパチンコ機における開閉扉の閉成状態を説明する断面図である。
【図３−Ａ】本実施形態のパチンコ機における開閉扉の開放状態を説明する正面図である。
【図３−Ｂ】本実施形態のパチンコ機における開閉扉の開放状態を説明する断面図である。
【図４】本実施形態のパチンコ機のワイヤー部材に弛みがある場合における弛み状況明示部材の状態を示す図で、（Ａ）は平面図、（Ｂ）は正面図である。
【図５】本実施形態のパチンコ機のワイヤー部材に弛みがない場合における弛み状況明示部材に状態を示す図で、（Ａ）は平面図、（Ｂ）は正面図である。
【図６】本実施形態のパチンコ機における弛み状況明示部材の付勢状態を説明する概略斜視図である。
【図７】本実施形態のパチンコ機における開閉扉の付勢状態を説明する図で、（Ａ）は概略斜視図、（Ｂ）は側面図である。
【符号の説明】
【００３３】
１    遊技盤
２    遊技領域
３    センターケース
４    始動入賞口
５    大入賞口
６    開閉扉
７    大入賞口取付基板
８    第１ローラ部材
９    第２ローラ部材
１０  ワイヤー部材
１１  液晶パネル
１２  ステッピングモータ
１４ａ、１４ｂ  意匠駆動軸
１５    軸ガイド穴
１６ａ、１６ｂ  ハート意匠
１７ａ、１７ｂ  カーテン意匠
１８    開閉扉付勢バネ
１９    球誘導壁部
２０    ローラ部材開口部
２１    ワイヤー部材挿通穴
２２、２３  フランジ部
２４    意匠付勢バネ
２５    ステージ面
【図１】
2005261720.tif 000003
【図２−Ａ】
2005261720.tif 000004
【図２−Ｂ】
2005261720.tif 000005
【図３−Ａ】
2005261720.tif 000006
【図３−Ｂ】
2005261720.tif 000007
【図４】
2005261720.tif 000008
【図５】
2005261720.tif 000009
【図６】
2005261720.tif 000010
【図７】
2005261720.tif 000011